(57)【特許請求の範囲】
【請求項１】
入力部からＶｏＩＰ接続サービス及びマルチメディアサービスのうちいずれか一方のサービスの接続要求信号を受信し、当該サービスを選択したことを示すパラメータを付与して、前記サービスの接続要求信号に対応する接続先アドレスの応答要求をアドレス管理サーバに送信し、当該アドレス管理サーバから前記接続先アドレスを取得するサービス用アドレス取得部と、
取得した前記接続先アドレスに、当該サービス開始要求信号を送信するサービス開始指示部と、
を備えることを特徴とする接続先アドレス取得端末装置。
【請求項２】
端末からＶｏＩＰ接続サービス及びマルチメディアサービスのうちいずれか一方のサービスを要求することを示すパラメータを含む接続要求信号を受信する受信手段と、
当該端末からの前記サービスの接続要求信号に含まれる前記パラメータに対応するアドレスを選択し、該選択したアドレスを当該サービスの接続先のＩＭＳ網のアドレスとして前記端末に応答する応答手段と、
を備えることを特徴とするＩＰアクセス網接続装置。
【請求項３】
コンピュータが、
端末からＶｏＩＰ接続サービス及びマルチメディアサービスのうちいずれか一方のサービスを要求することを示すパラメータを含む接続要求を受信し、
当該端末からの前記サービスの接続要求信号に含まれる前記パラメータに対応するアドレスを選択し、該選択したアドレスを当該サービスの接続先のＩＭＳ網のアドレスとして前記端末に応答する、
ことを含むことを特徴とするＩＰアクセス網接続方法。
【請求項４】
コンピュータを、
端末からＶｏＩＰ接続サービス及びマルチメディアサービスのうちいずれか一方のサービスを要求することを示すパラメータを含む接続要求信号を受信する受信手段と、
当該端末からの前記サービスの接続要求信号に含まれる前記パラメータに対応するアドレスを選択し、該選択したアドレスを当該サービスの接続先のＩＭＳ網のアドレスとして前記端末に応答する手段、
として機能させることを特徴とするＩＰアクセス網接続プログラム。
【請求項５】
端末と、
当該端末からＶｏＩＰ接続サービス及びマルチメディアサービスのうちいずれか一方のサービスを要求することを示すパラメータを含む接続要求信号を受信する受信手段、および、
当該端末からの前記サービスの接続要求信号に含まれる前記パラメータに対応するアドレスを選択し、該選択したアドレスを当該サービスの接続先のＩＭＳ網のアドレスとして前記端末に応答する応答手段を備えるＩＰアクセス網接続装部と、を有し、
前記端末が、前記ＩＰアクセス網接続装部から応答された前記ＩＭＳ網のアドレスに接続要求を行うことを特徴とするトラフィック分散システム。
【発明の詳細な説明】
【技術分野】
【０００１】
本発明は、ＩＰアクセス網接続技術、特に、トラフィック分散技術に関する。
【背景技術】
【０００２】
近年、３ＧＰＰ（Ｔｈｉｒｄ Generation Partnership Project）で規格化されたＩＭＳ網（IP Multimedia Subsystem）を利用した通信システムが提案されている。その中で、たとえば、災害発生時に安否確認の呼が集中して、通信網が増幅した状態となり、緊急呼び出しなどの重要呼が繋がらない等の不具合を生じることがあった。そのため、重要呼が確実に確立することを目的とした通信システム等が開示されている（たとえば、特許文献１、特許文献２参照）。また、ＩＭＳ網を用いて、音声などをリアルタイム伝送するＶｏＩＰサービス（いわゆる、ＩＰ電話）では、たとえば、プレゼンスサービスなど、さまざまなマルチメディアサービスを実施することができるようになった。
【先行技術文献】
【特許文献】
【０００３】
【特許文献１】特開２０１０−７４７６９号公報
【特許文献２】特表２００９−５４４２００号公報
【発明の概要】
【発明が解決しようとする課題】
【０００４】
しかしながら、たとえば、プレゼンスサービスを実施する場合等は、ＩＭＳ端末（ＵＥ）−プレゼンスサーバ間の頻繁なＳＩＰ信号の送受信を必要とするため、トラフィックが増大することにより、ＶｏＩＰサービスに多大な影響を与えることが想定される。
【０００５】
本発明の目的は、トラフィックの増大によるＶｏＩＰサービスへの影響を回避する等、ＩＰアクセス網による確実な接続を確立する技術を提供することにある。
【課題を解決するための手段】
【０００６】
本発明の各態様では、上述した課題を解決するために、それぞれ以下の構成を採用する。
【０００７】
第１の態様は、接続先アドレス取得端末装置に関する。第１の態様に係る接続先アドレス取得端末装置は、入力部からのサービスの接続要求信号を受信し、当該サービスに対応したパラメータを付与して、サービスの接続要求信号に対応する接続先アドレスの応答要求をアドレス管理サーバに送信し、当該アドレス管理サーバから接続先アドレスを取得するサービス用アドレス取得部と、取得した接続先アドレスに、当該サービス開始要求信号を送信するサービス開始指示部と、を備える。
【０００８】
第２の態様は、ＩＰアクセス網接続装置に関する。第２の態様に係るＩＰアクセス網接続装置は、端末からの接続要求信号を受信する受信手段と、当該端末からのサービスの接続要求信号に含まれるパラメータに対応して、当該サービスの接続先のＩＭＳ網のアドレスを端末に応答する応答手段と、を備える。
【０００９】
第３の態様は、ＩＰアクセス網接続方法に関する。第３の態様に係るＩＰアクセス網接続方法は、コンピュータが、端末からのサービスの接続要求信号を受信し、当該端末からのサービスの接続要求信号に含まれるパラメータに対応して、当該サービスの接続先のＩＭＳ網のアドレスを端末に応答することを含む。
【００１０】
なお、第４の態様として、以上の何れかの構成をコンピュータに実現させるＩＰアクセス網接続プログラムであってもよいし、このようなプログラムを記録したコンピュータが読み取り可能な記憶媒体であってもよい。
【００１１】
また、第５の態様は、トラフィック分散システムに関する。第５の態様に係る、トラフィック分散システムは、端末と、当該端末からのサービスの接続要求信号を受信する受信手段、および、当該端末からのサービスの接続要求信号に含まれるパラメータに対応して、当該サービスの接続先のＩＭＳ網のアドレスを前記端末に応答する応答手段を備えるＩＰアクセス網接続装部と、を有し、端末が、ＩＰアクセス網接続装部から応答されたＩＭＳ網のアドレスに接続要求を行う。
【発明の効果】
【００１２】
上記各態様によれば、他のサービス呼に影響されることなく、各サービス呼のＩＰアクセス網への接続を確実に確立する技術を提供することができる。
【図面の簡単な説明】
【００１３】
【図１】第１実施形態におけるＩＰアクセス網接続装置のシステム構成例を示す概念図。
【図２】図１における端末とＤＨＣＰサーバ間で実施される通信プロトコルの手順を示すシーケンス図。
【図３】第２実施形態におけるトラフィック分散システムとその接続先のサービス用ＩＭＳ網とのシステム構成例を示す概念図。
【図４】第２実施形態におけるトラフィック分散システムの通信振り分けイメージを示す図。
【図５】図３における端末とＤＨＣＰサーバ間で実施される通信プロトコルの手順およびサービスの実施手順を示すシーケンス図。
【発明を実施するための形態】
【００１４】
以下、本発明の実施の形態について説明する。なお、以下に挙げる実施形態は例示であり、本発明は以下の実施形態の構成に限定されない。
【００１５】
本実施形態に係る、ＩＰアクセス網接続装置は、端末（接続先アドレス取得端末装置）からの接続要求信号を受信する受信手段と、当該端末からのサービスの接続要求信号に含まれるパラメータに対応して、当該サービスの接続先のＩＭＳ網のアドレスを端末に応答する応答手段と、を備える。
【００１６】
上記ＩＰアクセス網接続装置では、端末に対して、サービスに応じて接続先のＩＭＳ網の情報を送信する。そのため、端末はサービスに応じたＩＭＳ網に接続することができる。したがって、トラフィックの増大に影響されることなく、ＩＰアクセス網による確実な接続を確立することができる。
【００１７】
また、本実施形態に係る、トラフィック分散システムは、端末（接続先アドレス取得端末装置）と、当該端末からのサービスの接続要求信号を受信する受信手段、および当該端末からのサービスの接続要求信号に含まれるパラメータに対応して、当該サービスの接続先のＩＭＳ網のアドレスを端末に応答する応答手段を備えるＩＰアクセス網接続装部と、を有し、端末が、ＩＰアクセス網接続装部から応答されたＩＭＳ網のアドレスに接続要求を行う。なお、当該トラフィック分散システムで使用する端末は、ＶｏＩＰ端末である。したがって、ＶｏＩＰ呼とマルチメディアサービス呼とのＩＭＳ網を分けることができる。そのため、頻繁な情報の通知や大量のデータ通信を必要とするマルチメディアサービス呼に影響されることなく、ＶｏＩＰ呼を確実に確立することができる。
【００１８】
なお、上記各実施形態に係るＩＰアクセス網接続装置、および、トラフィック分散システムで用いる端末は、接続先アドレス取得端末装置であり、キーボード等の入力部からのサービス信号を受信し、当該サービスに対応したパラメータを付与して、接続先アドレスの応答要求信号をアドレス管理サーバに送信し、当該アドレス管理サーバから接続先アドレスを取得するサービス用アドレス取得部と、取得した接続先アドレスに、当該サービス開始要求信号を送信するサービス開始指示部と、を備える。なお、端末から送信されるサービスの接続要求信号とは、ＶｏＩＰやマルチメディアサービス等、各種サービスを実施する命令信号を意味する。
【００１９】
以下、上述の各実施形態について更に詳細を説明する。以下の第１実施形態は、上述のＩＰアクセス網接続装置を関係データベースに組み込んで、ＩＰアクセス網接続方法を実施した例である。また、第２実施形態は、ＩＰアクセス網接続装置を組み込んだトラフィック分散システムについての例である。なお、上述のＩＰアクセス網接続装置およびトラフィック分散システムの構成は、以下の実施形態に限定されるものではなく、ＶｏＩＰおよびマルチメディアサービスを提供するＩＭＳ網を用いた通信装置やシステムは勿論、ＩＭＳ網を用いた通信装置やシステムであれば、様々な態様に適用可能である。
【００２０】
［第１実施形態］
〔システム構成〕
図１は、第１実施形態におけるＩＰアクセス網接続装置（以下、「ＩＰアクセス網接続部１０」と呼ぶ）のシステム構成例を示す概念図である。第１実施形態におけるＩＰアクセス網接続部１０は、各種サービス用ＩＭＳ網２０と接続している。
【００２１】
ＩＰアクセス網接続部１０は、サービスを行う端末（以下、単に「ＵＥ」と呼ぶ）１１とＩＰ信号を送受信する、ＤＨＣＰサーバ１２、ＵＥ１１からのサービスに対応する接続先のＩＭＳ網のアドレスが設定されたアドレステーブル１４、および、図２で説明するＩＰアクセスノード１３、等から構成される。ＵＥ１１は、ユーザが各種サービスを行うためのＩＭＳ端末である。ＤＨＣＰサーバ１２は、ＵＥ１１からのサービスの接続要求信号を受信し、当該接続要求に含まれるパラメータに基づいて、アドレステーブル１４を参照し、当該ＵＥ１１が接続するべきサービス用ＩＭＳ網２０のアドレスを通知するサーバ（受信手段、応答手段を兼ねる）である。なお、ＤＨＣＰサーバ１２は、アドレステーブル１４を自身で保持していてもよいし、アドレステーブル１４を記憶したデータベースを別個に設けて、当該データベースにアクセスしてアドレスを取得するものであってもよい。
【００２２】
ここで、上記ＵＥ１１は、サービス用アドレス取得部１１ａと、サービス開始指示部１１ｂとを有する。サービス用アドレス取得部１１ａは、各種サービスに対応するパラメータを付与して、アドレス管理サーバであるＤＨＣＰサーバ１２にアクセスして、当該サービスの接続先アドレスを取得する。サービス開始指示部１１ｂは、取得した接続先アドレスに対して、サービス開始要求信号（ＳＩＰ信号）を送信する。なお、サービス用アドレス取得部１１ａは、予めサービスに対応するパラメータを保持している。
【００２３】
サービス用ＩＭＳ網２０は、各種サービスに対応するサービス用サーバ２１、２２を有している。各サービス用サーバ２１、２２や、それぞれＰ−ＣＳＣＦ（Proxy Call Session Control Function）２３、２５を有し、このＰ−ＣＳＣＦを経由して、各種サービスにＳＩＰ信号を伝達してサービスを実行させる。Ｐ−ＣＳＣＦ２３、２５は、アクセスポイントとして、ＵＥ１１からのＳＩＰ信号を各サービスに転送するセッション制御サーバである。Ｐ−ＣＳＣＦ２３、２５に転送されたＳＩＰ信号を受信した各サーバ２４、２６は、当該サービスを管理して、各アプリケーションサーバ（図示せず）に各種サービスを実行させる。なお、図１では、サービス用ＩＭＳ網２０のサービス用サーバ２１、２２は２つのみ記載されているが、サービスの数に対応して、３つ以上備えていてもよい。なお、各装置の機能の詳細は、３ＧＰＰ  ＴＳ２９．２２８，ＴＳ２３．１６７を参照されたい。
【００２４】
〔動作例〕
次に、図２のシーケンス図を用いて、図１におけるＵＥ１１とＤＨＣＰサーバ１２間で実施される通信プロトコルと、これによりＵＥ１１のサービス用アドレス取得部１１ａが接続すべきサービス用ＩＭＳ網２０のサービス用サーバ２１、２２を発見する手順の動作を説明する。まず、ＵＥ１１は、キーボード等の外部の入力部３０から入力された各種サービス信号を受信し、サービス開始のために当該サービスに対応するパラメータを付与して、ＤＨＣＰサーバ１２に対して、接続すべきサービス用ＩＭＳ網２０のサービス用サーバ２１、２２のアドレスの通知要求の信号送信を実施する（DHCP information-Request）。なお、ＵＥ１１で実施したいサービスに応じたパラメータを要求に付与してＤＨＣＰサーバ１２に送信するのは、サービス用アドレス取得部１１ａである。この要求信号は、ＩＰアクセスノード１３経由でリレーされ、ＤＨＣＰサーバ１２に受信される（DHCP Relay forward）。
【００２５】
上記パラメータが付与された当該要求信号を受信したＤＨＣＰサーバ１２は、アドレステーブル１４を参照して、各パラメータのサービスに対応したＩＭＳ網のアドレスを検出する。次に、ＤＨＣＰサーバ１２は、当該接続先アドレスを含めて、ＵＥ１１に応答信号を送信する（DHCP Relay Reply）。この応答信号は、ＩＰアクセスノード１３を経由してＵＥ１１のサービス用アドレス取得部１１ａに伝達される（DHCP Reply）。この応答信号を受信したＵＥ１１のサービス用アドレス取得部１１ａは、サービス開始指示部１１ｂに指示して、通知されたサービス用の接続先アドレスに対応するサーバ（例えば、サーバ２１）のＰ−ＣＳＣＦ（たとえば、Ｐ−ＣＳＣＦ２３）に、サービスのＳＩＰ信号の送信を実施する。このＳＩＰ信号を受信したＰ−ＣＳＣＦ２３は、アクセスポイントとして、当該ＳＩＰ信号を、サービス実施用のアプリケーションサーバ２４に転送すると、当該アプリケーションサーバ２４がサービスを実施する。
【００２６】
〔第１実施形態の作用及び効果〕
以上のように、ＩＰアクセス網接続部１０では、ＤＨＣＰサーバ１２が、入力部３０により入力されたサービスに対応してＵＥ１１の接続先のＩＭＳ網への振り分けを行うため、頻繁なＳＩＰ信号の送受信を行うような負荷の高いサービスが他のサービスに影響することがない。したがって、たとえば、重要呼や緊急呼等が負荷の高いサービスによって影響を受けることがなく、確実な接続を確立することができる。
【００２７】
［第２実施形態］
第２実施形態では、上記ＩＰアクセス網接続装置を用いたトラフィック分散システムについて説明する。上記第１実施形態では、ＤＨＣＰサーバ１２により応答された接続先アドレス情報に従って、サービス用サーバ２０等に各サービスのＳＩＰ信号を送信して実行させることについて説明している。本第２実施形態では、当該ＩＰアクセス網接続（ＩＰアクセス網接続装置）を用いて、より具体的に、ＶｏＩＰ端末において、たとえば、プレゼンスサービス等、トラフィックの負荷が高いマルチメディアサービスの接続先を、ＶｏＩＰサービスの接続先とは異なる接続先に接続し、ＶｏＩＰサービスに影響を与えないようにすることを目的とする。このように、ＶｏＩＰサービスとマルチメディアサービスとの接続先を振り分ける、トラフィック分散システム１００について説明する。以下、第２実施形態におけるトラフィック分散システム１００について第１実施形態と異なる内容を中心に説明し、同一の内容については説明を適宜省略する。
【００２８】
〔システム構成〕
図３は、第２実施形態におけるトラフィック分散システム１００とその接続先のサービス用ＩＭＳ網２００とのシステム構成例を示す概念図である。図４は、トラフィック分散システム１００とサービス用ＩＭＳ網２００とを図案化して、より分かり易くイメージ化したものである（ただし、入力部１３０は省略してある）。図３、図４に示すように、第２実施形態におけるサービス用ＩＭＳ網２００は、たとえば、マルチメディアサービス用ＩＭＳ網２１０、ＶｏＩＰ用ＩＭＳ網２０等を有している。
【００２９】
第２実施形態のトラフィック分散システム１００は、ＶｏＩＰ端末（ＵＥ１１１）と、ＩＰアクセス網接続部としてのＤＨＣＰサーバ１１２、および、アドレステーブル１１４と、図５で説明するＩＰアクセスノード２１３と、等から構成されている。ＩＰアクセス網接続部については、第１実施形態と同様であるため、詳細な説明は省略する。本実施形態のＵＥ１１１は、上述のとおりＶｏＩＰ端末であり本実施形態のトラフィック分散システム１００では、当該ＶｏＩＰ端末（ＵＥ１１１）を用いて、ＶｏＩＰサービスだけでなく、頻繁なＳＩＰ信号の送受信を必要とするマルチメディアサービス（たとえば、プレゼンスサービス等）をも行う。また、ＵＥ１１１は、第１実施形態と同様に、キーボード等の入力部１３０から入力されたサービスの接続要求信号を受信し、各種サービスに対応するパラメータを付与して、アドレス管理サーバであるＤＨＣＰサーバ１１２にアクセスして、当該サービスの接続先アドレスを取得する、サービス用アドレス取得部１１１ａと、取得した接続先アドレスに対して、サービス開始要求信号（ＳＩＰ信号）を送信するサービス開始指示部１１１ｂとを有する。
【００３０】
サービス用ＩＭＳ網２００は、ＵＥ１１１が接続すべきセッション制御部である。サービス用ＩＭＳ網２００におけるマルチメディアサービス用ＩＭＳ網２１０は、上記マルチメディアサービスに用いられるものであり、Ｐ−ＣＳＣＦ２１１、Ｓ−ＣＳＣＦ（Serving Call Session Control Function）２１２、ＡＳ（Application Server）２１３、および、ＨＳＳ（Home Subscriber Server）２１４等から構成されている。一方、ＶｏＩＰ用ＩＭＳ網２２０は、ＶｏＩＰサービスに用いられるものであり、Ｐ−ＣＳＣＦ２２１、Ｓ−ＣＳＣＦ２２２等から構成されている。本実施形態のように、ＶｏＩＰサービス用とマルチメディアサービス用にサービス用ＩＭＳ網２００を分け、それぞれのＩＭＳ網２１０、２２０にＰ−ＣＳＣＦ２１１、２２１、Ｓ−ＣＳＣＦ２１２、２２２を設置し、マルチメディア用のＩＭＳ網（Ｓ−ＣＳＣＦ２１２側）にＨＳＳ２１４及び該当サービスのＡＳ２１３を設置している。
【００３１】
マルチメディアサービス用ＩＭＳ網２１０のＳ−ＣＳＣＦ２１２は、加入者情報をＨＳＳ２１４から取得し、ＡＳ２１３と接続することによってサービスを管理するＳＩＰセッション制御サーバである。また、ＡＳ２１３は、Ｉマルチメディアサービス用ＩＭＳ網２１０において、プレゼンスなどのマルチメディアサービスを実現するアプリケーションサーバである。ＨＳＳ２１４は、ホーム加入者サーバであり、データベースに加入者の関連情報が格納されており、ＶｏＩＰ端末１１１の使用者が加入者であるかの認証と認可等を実施するものである。一方、ＶｏＩＰ用ＩＭＳ網２２０のＳ−ＣＳＣＦ２２２は、ＶｏＩＰサービスを管理するＳＩＰセッション制御サーバである。
【００３２】
〔動作例〕
次に、図５のシーケンス図を用いて、図３におけるＵＥ１１１とＤＨＣＰサーバ１１２間で実施される通信プロトコルと、これによりＵＥ１１１が接続すべきサービス用ＩＭＳ網（セッション制御部）２００を発見し、各サービスを実施するまでの手順の動作を説明する。なお、以下では、マルチメディアサービスを実施する場合を想定して説明する。まず、ＵＥ１１１がマルチメディアサービスのプレゼンスサービスの開始を選択した場合は、３ＧＰＰ  ＴＳ２３．２２８（ｖ９．４．０）  ９．２．１章の手順に従い、ＵＥ１１１のサービス用アドレス取得部１１１ａが、ＤＨＣＰサーバ１１２宛にマルチメディアサービス用ＩＭＳ網２１０の接続要求信号を送信する。すなわち、Ｐ−ＣＳＣＦ２１１へのアドレス通知要求の信号送信を実施する（DHCP information-Request）。この際に、ＵＥ１１１は、マルチメディアサービス用のパラメータを要求に付与する。この要求信号は、ＩＰアクセスノード１１３経由でリレーされ、ＤＨＣＰサーバ１１２に受信される（DHCP Relay forward）。
【００３３】
ＤＨＣＰサーバ１１２は、ＵＥ１１１からのアドレス通知要求に、マルチメディアサービスを示すパラメータが付与されていることを認識すると、アドレステーブル１１４を参照してマルチメディアサービス用ＩＭＳ網２１０のＰ−ＣＳＣＦ２１１のアドレスを検出する。そして、このアドレス情報を含めて、ＵＥ１１１のサービス用アドレス取得部１１１ａに応答信号を通知する（DHCP Relay Reply）。この応答信号は、ＩＰアクセスノード１１３経由でリレーされ、ＵＥ１１１に受信される（DHCP Reply）。この応答信号を受信したＵＥ１１１のサービス用アドレス取得部１１１ａは、サービス開始指示部１１１ｂに指示して、通知されたアドレス先のネットワーク、すなわち、マルチメディアサービス用のＰ−ＣＳＣＦ２１１に接続要求を行う（すなわち、図５に示すように、当該サービスがマルチメディアサービスか判断し、「ｙｅｓ」ならマルチメディアサービス用のＰ−ＣＳＣＦ２１１へ接続要求が実施される）。この実施により、ＳＩＰ信号を受信したマルチメディアサービス用Ｐ−ＣＳＣＦ２１１は、当該ＳＩＰ信号を、マルチメディアサービス用Ｓ−ＣＳＣＦ２１２に転送する。このように、Ｓ−ＣＳＣＦ２１２を経由して、ＨＳＳ２１４にて認証と許可を実施して貰い、許可された場合に該当するサービスを提供するＡＳ２１３に、呼接続を実施し、マルチメディアサービス呼を確立する。
【００３４】
一方、図５に示すように、マルチメディアサービスかの判断で、「ｎｏ」の場合は、ＶｏＩＰ呼であるため、ＵＥ１１１のサービス開始指示部１１１ｂよりＶｏＩＰ用ＩＭＳ網２２０のＰ−ＣＳＣＦ２２１へ接続要求が実施される。この実施により、ＳＩＰ信号を受信したＶｏＩＰ用Ｐ−ＣＳＣＦ２２１は、当該ＳＩＰ信号を、ＶｏＩＰ用Ｓ−ＣＳＣＦ２２２に転送することにより、ＶｏＩＰ呼を確立する。
【００３５】
〔第２実施形態の作用及び効果〕
以上のように、トラフィック分散システム１００では、ＶｏＩＰを制御するＶｏＩＰ用ＩＭＳ網２２０と、マルチメディアサービスを制御するマルチメディアサービス用ＩＭＳ網２１０とを分けている。すなわち、ＶｏＩＰサービスとマルチメディアサービスとのトラフィックを分散させることにより、頻繁なＳＩＰ信号の送受信を行うような負荷の高いマルチメディアサービスによって、ＶｏＩＰサービスが影響されることがないようにしている。したがって、ＶｏＩＰ呼を確実に確立することができる。
【００３６】
なお、上記実施形態の説明には、複数の通信プロトコルを用いており、それぞれに複数のステップを順番に記載してあるが、その複数のステップの順番は内容的に支障しない範囲で変更することができる。また、上述した実施の形態および複数の変形例は、その内容が相反しない範囲で組み合わせることができる。
以下、参考形態の例を付記する。
１．
入力部からのサービスの接続要求信号を受信し、当該サービスに対応したパラメータを付与して、前記サービスの接続要求信号に対応する接続先アドレスの応答要求をアドレス管理サーバに送信し、当該アドレス管理サーバから前記接続先アドレスを取得するサービス用アドレス取得部と、
取得した前記接続先アドレスに、当該サービス開始要求信号を送信するサービス開始指示部と、
を備えることを特徴とする接続先アドレス取得端末装置。
２．
端末からのサービスの接続要求信号を受信する受信手段と、
当該端末からの前記サービスの接続要求信号に含まれるパラメータに対応して、当該サービスの接続先のＩＭＳ網のアドレスを前記端末に応答する応答手段と、
を備えることを特徴とするＩＰアクセス網接続装置。
３．
前記サービスが、ＶｏＩＰ接続サービスまたはマルチメディアサービスを含む、２．に記載のＩＰアクセス網接続装置。
４．
コンピュータが、
端末からのサービスの接続要求を受信し、
当該端末からの前記サービスの接続要求信号に含まれるパラメータに対応して、当該サービスの接続先のＩＭＳ網のアドレスを前記端末に応答する、
ことを含むことを特徴とするＩＰアクセス網接続方法。
５．
コンピュータを、
端末からのサービスの接続要求信号を受信する受信手段と、
当該端末からの前記サービスの接続要求信号に含まれるパラメータに対応して、当該サービスの接続先のＩＭＳ網のアドレスを前記端末に応答する手段、
として機能させることを特徴とするＩＰアクセス網接続プログラム。
６．
端末と、
当該端末からのサービスの接続要求信号を受信する受信手段、および、
当該端末からの前記サービスの接続要求信号に含まれるパラメータに対応して、当該サービスの接続先のＩＭＳ網のアドレスを前記端末に応答する応答手段を備えるＩＰアクセス網接続装部と、を有し、
前記端末が、前記ＩＰアクセス網接続装部から応答された前記ＩＭＳ網のアドレスに接続要求を行うことを特徴とするトラフィック分散システム。
【符号の説明】
【００３７】
１０  ＩＰアクセス網接続部（ＩＰアクセス網接続装置）
１１、１１１  ＵＥ（端末、アドレス取得端末装置）
１１ａ、１１１ａ  サービス用アドレス取得部
１１ｂ、１１１ｂ  サービス開始指示部
１２、１１２  ＤＨＣＰサーバ（受信手段、応答手段、アドレス管理サーバ）
２０  サービス用ＩＭＳ網（ＩＭＳ網）
３０、１３０  入力部（外部装置）
１００  トラフィック分散システム
２００  サービス用ＩＭＳ網
２１０  マルチメディアサービス用ＩＭＳ網
２２０  ＶｏＩＰ用ＩＭＳ網
【図１】
0005736814.tif 000002
【図２】
0005736814.tif 000003
【図３】
0005736814.tif 000004
【図４】
0005736814.tif 000005
【図５】
0005736814.tif 000006